(57)【要約】【課題】  有彩色の色彩による雰囲気を得ることができ、しかも、奥ゆかしさにかけることがない食器を提供する。【解決手段】  白磁からなる受皿付きカップ１０の受皿１２には、テーブルの上面Ｔｂに対向するその外周面１３に有彩色部１４が設けられている。有彩色部１４は、受皿１２の糸底１５を囲む環状に形成されている。また、有彩色部１４は、外周面１３の外周縁部１３ａよりも内側に、かつ、糸底１５よりも外周に設けられている。有彩色部１４は、均一な色合いの赤色、青色、緑色又は黄色とされている。【選択図】      図１
0003109223.tif 000002
【実用新案登録請求の範囲】
【請求項１】
載置面から離れた位置で同載置面に対向する外周面を有する食器において、
前記外周面上に食器素地の色合いよりも彩度の高い色合いの有彩色部を設けたことを特徴とする食器。
【請求項２】
前記食器素地は、不透明であることを特徴とする請求項１記載の食器。
【請求項３】
前記食器素地は、無彩色であることを特徴とする請求項２記載の食器。
【請求項４】
前記有彩色部を、前記載置面に接する当接部を囲むように設けたことを特徴とする請求項１〜請求項３のいずれか一項記載の食器。
【請求項５】
前記有彩色部は、１つの有彩色領域からなることを特徴とする請求項１〜請求項４のいずれか一項記載の食器。
【請求項６】
前記有彩色部は、複数の有彩色領域からなることを特徴とする請求項１〜請求項４のいずれか一項記載の食器。
【請求項７】
前記有彩色部は、赤色、青色、緑色及び黄色のいずれかであることを特徴とする請求項１〜請求項６のいずれか一項記載の食器。
【請求項８】
皿であることを特徴とする請求項１〜請求項７のいずれか一項記載の食器。
【請求項９】
カップ用の受皿であることを特徴とする請求項８記載の食器。
【請求項１０】
陶磁器、不透明ガラス、プラスチック、木材又は紙からなることを特徴とする請求項１〜請求項９のいずれか一項記載の食器。
【考案の詳細な説明】
【技術分野】
【０００１】
本考案は、載置面から離れた位置で同載置面に対向する外周面を有する、例えばカップ用受皿、取り皿等の食器に関するものである。
【背景技術】
【０００２】
一般に、例えば受皿付きカップは、白磁素地に透明な釉を施したものや、白磁素地に部分的な上絵を施したものや、白磁素地の全面に化粧釉を施したものが一般的である。ここで、有彩色の色合いは、それを見る人の意識に影響を及ぼすことが知られている。例えば、赤色は、交感神経を刺激し、血圧、脈拍、呼吸を高める作用があることが知られている。また、青色は、血圧を安定させ、呼吸数を低め、筋肉の緊張を和らげる作用があることが知られている。このため、カップを使う人は、好みの色彩が施されたカップを選ぶことにより、意図した雰囲気を得ることができる。
【考案の開示】
【考案が解決しようとする課題】
【０００３】
しかしながら、上記のようにカップ全体に色が付けられたものは直接視覚を刺激するので、奥ゆかしさにかける。
本考案は、このような従来の技術に存在する問題点に着目してなされたものである。その目的とするところは、有彩色の色彩による雰囲気を得ることができ、しかも、奥ゆかしさにかけることがない食器を提供することにある。
【課題を解決するための手段】
【０００４】
上記の目的を達成するために、請求項１に記載の考案は、載置面から離れた位置で同載置面に対向する外周面を有する食器において、前記外周面上に食器素地の色合いよりも彩度の高い色合いの有彩色部を設けたことを特徴とするものである。
【０００５】
また、請求項２に記載の考案は、請求項１記載の考案において、前記食器素地は、不透明であることを特徴とするものである。
また、請求項３に記載の考案は、請求項１又は請求項２記載の考案において、前記食器素地は、無彩色であることを特徴とするものである。
【０００６】
また、請求項４に記載の考案は、請求項１〜請求項３のいずれか一項記載の考案において、前記有彩色部を、前記載置面に接する当接部を囲んだ環状に設けたことを特徴とするものである。
【０００７】
また、請求項５に記載の考案は、請求項１〜請求項４のいずれか一項記載の考案において、前記帯状有彩色部は、１つの有彩色領域からなることを特徴とするものである。
また、請求項６に記載の考案は、請求項１〜請求項４のいずれか一項記載の考案において、前記帯状有彩色部は、複数の有彩色領域からなることを特徴とするものである。
【０００８】
また、請求項７に記載の発明は、請求項１〜請求項６のいずれか一項記載の発明において、前記帯状有彩色部は、赤色、青色、緑色及び黄色のいずれかであることを特徴とするものである。
【０００９】
また、請求項８に記載の考案は、請求項１〜請求項７のいずれか一項記載の考案において、皿であることを特徴とするものである。
また、請求項９に記載の発明は、請求項８記載の発明において、カップ用の受皿であることを特徴とするものである。ここで、「カップ」とは、コーヒーや紅茶を飲むための取っ手付きの茶碗を意味する。
【００１０】
また、請求項１０に記載の考案は、請求項１〜請求項９のいずれか一項記載の考案において、陶磁器、不透明ガラス、プラスチック、木材又は紙からなることを特徴とするものである。
【考案の効果】
【００１１】
本考案によれば、食器をテーブル等の上面に載せたときに、食器を使う当人は有彩色部の色を直接見ることなく、テーブル等の上面に映る有彩色部の色の影を見ることができる。従って、この食器を用いることにより、有彩色の色彩の作用効果による雰囲気を得ることができ、しかも、奥ゆかしさにかけることがない。
【考案を実施するための最良の形態】
【００１２】
次に、本考案を具体化した一実施形態を図１〜図３に従って説明する。
図１に示すように、受皿付きカップ１０は、コーヒーや紅茶を飲むための取っ手付きのカップ１１と、このカップ１１を受ける受皿１２とからなる。カップ１１及び受皿１２は、共に白色の磁器素地に透明釉をかけた白磁である。なお、素地の色合いは、白色に限らず、灰白色、白色等の白色に近い不透明な無彩色であってもよい。また、せっ器、陶器又は土器であれば、同無彩色に近い彩度の不透明な有彩色であってもよい。
【００１３】
受皿１２は、テーブルの上面Ｔｂ（載置面）から離れた位置で同上面Ｔｂに対抗する外周面１３を有している。この外周面１３上には、有彩色部１４が設けられている。有彩色部１４は、テーブルの上面Ｔｂに接する糸底（当接部）１５を囲む環状に形成されている。また、有彩色部１４は、外周面１３の外周縁部１３ａよりも内周側に、かつ、受皿１２の糸底１５よりも外周側に設けられている。有彩色部１４は、均一な色合いの赤色、青色、緑色又は黄色とされている。この有彩色部１４は、白色磁器素地に透明釉がかけられた受皿１２の外周面１３に、上絵付けによって形成されている。上絵付けの手法としては、スプレーを用いた金属顔料の吹きかけや、スクリーン印刷による金属顔料の転写を用いることができる。上絵付け後の受皿１２は、約８００℃で焼成されている。
【００１４】
次に、上記のように構成した受皿付きカップ１０の作用について説明する。
例えば、気分を高めようとするときには、赤色の有彩色部１４を設けた受皿付きカップ１０を用いるようにする。このカップ１１及び受皿１２をテーブルの上面Ｔｂに載せると、図３に示すように、受皿１２の外周面１３に設けられた有彩色部１４の赤色の影Ｓｄがテーブルの上面Ｔｂに映る。このため、当人は、受皿１２の下方においてテーブルの上面Ｔｂに映った影Ｓｄの赤色がもたらす周知の作用効果により意図した雰囲気を得ることができる。
【００１５】
また、気分を落ち着かせようとするときには、青色の有彩色部１４を設けた受皿付きカップ１０を用いるようにする。このカップ１１及び受皿１２をテーブルの上面Ｔｂに載せると、受皿１２における有彩色部１４の青色の影Ｓｄがテーブルの上面Ｔｂに映る。このため、当人は、受皿１２の下方においてテーブルの上面Ｔｂに映った影Ｓｄの青色がもたらす周知の作用効果により意図した雰囲気を得ることができる。なお、有彩色部１４を緑色としても、青色の場合と同様の作用効果が得られる。また、有彩色部１４を黄色とすれば、赤色、青色及び緑色とは異なる周知の作用効果が得られる。
【００１６】
以上のように、この実施形態の受皿付きカップ１０においては、このカップ１１でコーヒー等を飲もうとする当人には直接見えない受皿１２の外周面１３に有彩色部１４を設けた。このため、この受皿付きカップ１０をテーブルの上面Ｔｂに載せたときに、当人は有彩色部１４の色を直接見ることなく、テーブルの上面Ｔｂに映る有彩色部１４の色の影Ｓｄを見ることができる。従って、有彩色の色彩の作用効果による雰囲気を得ることができ、しかも、奥ゆかしさにかけることがない。
【００１７】
また、有彩色部１４を、外周面１３の外周縁部１３ａよりも内側に設けたので、カップ１１を使っている当人以外の人からも有彩色部１４の色が見えない。このため、元々のカップ１１の意匠を損ねることがない。
【００１８】
なお、上記実施形態は、以下のように変更してよい。
・  有彩色部１４の明度を、径方向又は周方向において変化させる。
・  有彩色部１４の彩度を、径方向又は周方向において変化させる。
【００１９】
・  有彩色部１４の色合いを、同じ色合いの中で、径方向又は周方向において変化させる。
・  有彩色部１４を、中絵付け、下絵付け、色釉（素焼きの前に行うもの）、化粧釉（素焼きの上に行うもの）、塗漆（本焼き後に行うもの）等によって形成する。
【００２０】
・  図４に示すように、有彩色部１４を、周方向に分割された複数の略台形状の有彩色領域２０から構成する。この各有彩色領域２０は、同じ色合いである。さらに、有彩色領域２０を周方向に間隔を空けて設けた構成とする。
【００２１】
・  図５に示すように、有彩色部１４を、径方向に分割された複数の帯状の有彩色領域２１から構成する。この各有彩色領域２１は、同じ色合いである。
・  図６に示すように、有彩色部１４を、多数のドット（有彩色領域）２２から構成する。この各有彩色領域２２は、同じ色合いである。
【００２２】
・  本発明を、前記白磁以外のボーンチャイナ、ニューボーンチャイナ、並生地、アイボリー等の磁器、半磁器、陶器、せっ器（ストーンウェア）、又は土器等の陶磁器に具体化する。
【００２３】
・  本発明を、スープ、魚、肉、カレー、パスタ、ケーキ、パン用等の各種取り皿や、その受皿に実施する。この場合、有彩色部１４を設けた前記皿をその受皿上に載置した場合には、有彩色部１４の色が受皿上に映る。
【００２４】
・  本発明を、糸底を持たない食器に具体化する。
・  本発明を、ガラス、プラスチック、木材、紙等の不透明な材料からなる食器に具体化する。これらの材料からなる食器に対しては、スクリーン印刷、スプレー、刷毛による塗布等によって帯状有彩色部を形成することができる。
【図面の簡単な説明】
【００２５】
【図１】一実施形態の受皿付きカップを示す側面図。
【図２】受皿を示す底面図。
【図３】カップ及び受皿を示す斜視図。
【図４】他の実施形態の受皿を示す底面図。
【図５】他の実施形態の受皿を示す底面図。
【図６】他の実施形態の受皿を示す底面図。
【符号の説明】
【００２６】
１０…食器としての受皿付きカップ、１１…カップ、１２…食器としての受皿、１３…外周面、１３ａ…外周縁部、１４…有彩色部、１５…当接部としての糸底、２０，２１…有彩色領域、２２…有彩色領域としてのドット、Ｔｂ…載置面としての（テーブルの）上面。
【図１】
0003109223.tif 000003
【図２】
0003109223.tif 000004
【図３】
0003109223.tif 000005
【図４】
0003109223.tif 000006
【図５】
0003109223.tif 000007
【図６】
0003109223.tif 000008